(57)【要約】【課題】東西南北および鉛直に対して斜めの全方位から飛来する雨滴を確実に捕捉して、その雨束密度を正確に測定することができる全方位型雨量計を提供する。【解決手段】全方位から飛来する雨滴を受水する受水投影面が全方位に対して一定面積の円形となる球状受水部１と、該球状受水部１により捕捉された雨滴を集水して、その雨量を測定する手段から構成される。【選択図】        図１
2006017462.tif 000002
【特許請求の範囲】
【請求項１】
全方位から飛来する雨滴を受水する受水投影面が全方位に対して一定面積の円形となる球状受水部と、該球状受水部により捕捉された雨滴を集水して、その雨量を測定する手段から構成されることを特徴とする全方位型雨量計。
【請求項２】
上記球状受水部が、半円板に形成されると共に放射状に配列された多数枚の垂直受水盤と、上方に開いた円錐台状に形成されると共に前記垂直受水盤と交差するように組み付けられた水平受水盤から構成されることを特徴とする請求項１に記載の全方位型雨量計。
【請求項３】
上記垂直受水盤と水平受水盤の各交差部分に組付けスリットを形成したことを特徴とする請求項２に記載の全方位型雨量計。
【請求項４】
上記垂直受水盤の内側を切り欠いて、上記球状受水部に中心空間部を形成することを特徴とする請求項２または３に記載の全方位型雨量計。
【請求項５】
上記水平受水盤を波形に形成したことを特徴とする請求項２、３または４に記載の全方位型雨量計。
【発明の詳細な説明】
【技術分野】
【０００１】
本発明は、全方位（東西南北のあらゆる方向および鉛直線に対する０〜１８０度のあらゆる方向）から飛来する雨滴を捕捉して雨量を測定する、全方位型雨量計に関する。
【背景技術】
【０００２】
従来の雨量計としては、図９に示すように水平な受水面を備えたものや、図１０に示すように斜面と平行な受水面を有するものがあり、これらの受水面に着水する雨滴を捕捉するように構成されていた。
【０００３】
しかし、上記図９に示す従来の雨量計は、鉛直以外の方向から飛来する雨滴に対しては、その降雨量、特に雨束密度を正確に測定することはできなかった。一方、図１０に示す従来の雨量計も、傾斜受水面に直交する方向から飛来する雨滴を捕捉して、それらの雨量を測定することは可能であるが、全方位から飛来する雨滴を捕捉して、その雨量、特に雨束密度を正確に測定することはできなかった。
【発明の開示】
【発明が解決しようとする課題】
【０００４】
本発明が解決しようとする課題は、東西南北および鉛直に対して斜めの全方位から飛来する雨滴を確実に捕捉して、その雨束密度を正確に測定することができる全方位型雨量計を提供することにある。
【課題を解決するための手段】
【０００５】
本発明は、全方位から飛来する雨滴を受水する受水投影面が全方位に対して一定面積の円形となる球状受水部と、該球状受水部により捕捉された雨滴を集水して、その雨量を測定する手段から構成されることを特徴とする。
また、上記球状受水部が、半円板に形成されると共に放射状に配列された多数枚の垂直受水盤と、上方に開いた円錐台状に形成されると共に前記垂直受水盤と交差するように組み付けられた水平受水盤から構成されることを特徴とする。さらに、上記垂直受水盤と水平受水盤の各交差部分に組付けスリットを形成したことを特徴とする。又更に、上記垂直受水盤の内側を切り欠いて、上記球状受水部に中心空間部を形成することを特徴とする。更にまた、上記水平受水盤を波形に形成したことを特徴とする。
【発明の効果】
【０００６】
本発明の全方位型雨量計は、あらゆる方向（全方位）に対する受水投影面が一定面積の円形となるような球形状受水部により、全方位から飛来する雨滴を確実に捕捉して正確な雨束密度の雨量を測定することができる。また、上記球状受水部を、半円板に形成されると共に放射状に配列された多数枚の垂直受水盤と、上方に開いた円錐台状に形成されると共に前記垂直受水盤と交差するように組み付けられた水平受水盤により構成することにより、球状受水部の中心部に効果的に捕捉・集水することができる。
【発明を実施するための最良の形態】
【０００７】
図１は、本発明の全方位型雨量計の一実施例を示す全体正面図であって、１は、あらゆる方位から飛来する雨滴を受け入れる球状受水部、２は、該球状受水部１を支持すると共に該受水部１により受水された雨滴を集水して雨水量を計測する計測器（図示せず）を納める本体ケースである。
【０００８】
図２および図３からも明らかなように、上記球状受水部１は２４枚の垂直受水盤１ａと、５枚の水平受水盤１ｂから構成されている。これら受水盤１ａ、１ｂの枚数はこれに限定するものではない。図４から明らかなように、該垂直受水盤１ａは、基本的に半円板に形状されていて、上記本体ケース２の上部開口２ａ上に垂直に設置されている。該垂直受水盤１ａの内側（球状受水部１の中心部）は弧状に切り欠かれていて、中心空間部１ｃを構成している。
【０００９】
また、図５から明らかなように、上記水平受水盤１ｂは、基本的に上方に開いた円錐台状（皿状）に形成されていて、前記垂直受水盤１ａと交差するように組み付けられた状態で水平に設置されている。該垂直受水盤１ａと水平受水盤１ｂとの組み付け態様としては、例えば、図７に示すように、垂直受水盤１ａに組付けスリット１ａ―１を形成すると共に、水平受水盤１ｂに組付けスリット１ｂ−１を形成して、これらのスリット同士を直交状に向かいあわせて差し込み、図８に示すように、組み付ける。
【００１０】
本実施例の水平受水盤１ｂは、放射方位に山および谷が向いた波形に形成されていると共に、外周部の波形の縁となっている。各水平受水盤１ｂは、適当な上下間隔を保って平行に配列されていると共に、各水平受水盤１ｂの外周径は、垂直受水盤１ａと組み付けた状態で、全体として球形となるような寸法に設定される。上記水平受水盤１ｂの開口底部は、上記垂直受水盤１ａの内側切り欠きとともに球状受水部１の中心空間部１ｃを構成する。
【００１１】
上記本体ケース１内に納められている集水手段および計測手段は、従来公知の手段であればいずれでもよい。該計測手段には記録手段を接続してもよい。また、特願２００３−２７３２０７に開示されているように、上記測定手段あるいは記録手段の計測データを有線・無線手段により遠隔地に伝送するようにしてもよい。
【００１２】
本実施例の雨量計は、垂直受水盤１ａと水平受水盤１ｂから構成される球状受水部１を備えているので、東西南北すべての方位から飛来する雨滴はいずれかの垂直受水盤１ａに当たって捕捉されると共に、鉛直方向から、斜め上方向から、横方向から、さらに斜め下方向から飛来する雨滴は、垂直受水盤１ａに当たって捕捉される。なお、本発明の球状受水部は、全方位から飛来する雨滴を受水することができる受水投影面が全方位に対して一定面積の円形となるように構成されていれば、上記実施例の垂直受水盤１ａと水平受水盤１ｂから構成される球状受水部１に限定するものではない。
【００１３】
上記中心空間部１ｃの形状や大きさは、上記垂直受水盤１ａと水平受水盤１ｂにより雨滴を確実に捕捉し、さらに、捕捉された雨滴を上記本体ケース１内の集水手段に迅速に落下させることができるように設計するのが良い。  
【００１４】
上記水平受水盤１ｂを波形に形成することにより、受水した雨滴を直ちに谷部に集めて水平受水盤１ｂの中心部（中心空間部１ｃ）に速やかに流し込み、迅速かつ効率的に捕捉・集水することができる。
【産業上の利用可能性】
【００１５】
本発明の全方位型雨量計は、鉛直方位だけでなく全方位から飛来する降雨を確実に測定することができるので、特に山岳地における降雨量を正確に測定して、流域の正確な水資源収支および土砂の生産量に寄与する水文量を把握し、水利用計画および防災分野の用途に適用することができる。
【図面の簡単な説明】
【００１６】
【図１】本発明の全方位型雨量計の一実施例を示す全体正面図である。
【図２】図１の球状受水部の拡大斜視図である。
【図３】図１の球状受水部の拡大平面図である。
【図４】図１の球状受水部の垂直受水盤の構成説明図である。
【図５】図１の球状受水部の水平受水盤の構成説明図である。
【図６】図１の球状受水部の内部構成説明図である。
【図７】垂直受水盤と水平受水盤の組み付け前の形状説明図（Ａ）および水平受水盤の平面図（Ｂ）である。
【図８】垂直受水盤と水平受水盤の組付け半断面図である
【図９】従来の雨量計の説明図である。
【図１０】従来の別の雨量計の説明図である。
【符号の説明】
【００１７】
１    球状受水部
１ａ  垂直受水盤
１ａ−１  組付けスリット
１ｂ  水平受水盤
１ｂ−１  組付けスリット
１ｃ  中心空間部
２    本体ケース
【図７】
2006017462.tif 000003
【図８】
2006017462.tif 000004
【図９】
2006017462.tif 000005
【図１０】
2006017462.tif 000006
【図１】
2006017462.tif 000007
【図２】
2006017462.tif 000008
【図３】
2006017462.tif 000009
【図４】
2006017462.tif 000010
【図５】
2006017462.tif 000011
【図６】
2006017462.tif 000012